(57)【要約】【課題】本発明は、コンクリート杭の補強筋取付用定規に関し、杭芯のずれなどによって杭頭補強筋の位置ずれがあり、配筋される地中梁主筋と干渉してしまうことことが課題であって、それを解決することである。【解決手段】地中梁主筋のピッチ及び直径に合わせて所要数で平行に併設される定規用棒体３と、該定規用棒体の両端部側において当該定規用棒体に対して直交させ下側に当接させて対向配置にされるレール２と、該レールと前記定規用棒体とを連結し位置固定するとともに、前記レールの上部に設けられたスリットから固定部材を突出させる固定手段４とからなるコンクリート杭の補強筋取付用定規１である。【選択図】図１
2013163893.tif 000002
【特許請求の範囲】
【請求項１】
地中梁主筋のピッチ及び直径に合わせて所要数で平行に併設される定規用棒体と、
該定規用棒体の両端部側において当該定規用棒体に対して直交させ下側に当接させて対向配置にされるレールと、
該レールと前記定規用棒体とを連結し位置固定するとともに、前記レールの上部に設けられたスリットから固定部材を突出させる固定手段とからなること、
を特徴とするコンクリート杭の補強筋取付用定規。
【請求項２】
固定手段は、ボルトとナットの組み合わせでなり、締結状態を弛緩させることでスリットの長手方向に沿って移動自在であること、
を特徴とする請求項１に記載のコンクリート杭の補強筋取付用定規。
【請求項３】
レールの上部の面に、レール長手方向に沿って目盛りが付与されていること、
を特徴とする請求項１または２に記載のコンクリート杭の補強筋取付用定規。
【請求項４】
請求項１又は２に記載の補強筋取付用定規を形成し、
既製コンクリート杭を地盤に設置した後に、
前記既製コンクリート杭におけるリングプレートの上に前記補強筋取付用定規における定規用棒体を地中梁主筋の位置に合わせた位置にして当該補強筋取付用定規を設置し、
前記定規用棒体の間においてリングプレートに杭頭補強筋の下部を固着して杭頭補強筋を立設すること、
を特徴とする杭頭補強筋の取付方法。
【発明の詳細な説明】
【技術分野】
【０００１】
本発明は、コンクリート杭に杭頭補強筋を設置する際に、地中梁主筋と干渉しないように位置規定するコンクリート杭の補強筋取付用定規と、その定規を使用した杭頭補強筋の取付方法に関するものである。
【背景技術】
【０００２】
従来、ＳＣ杭（鋼管との合成杭）等の既製コンクリート杭における杭等補強筋の施工には、例えば、図５に示すように、コンクリート杭８の頭部に鋼製のリングプレート６が一体に設けられ、そのリングプレート６に杭頭補強筋７の下端部が溶接されて配筋されて、杭頭部が補強される構造が知られている。
【０００３】
このような杭頭補強筋７の施工に関して、基礎梁主筋との干渉を回避すべくリングプレート６の形状を工夫したもの（特許文献１参照）や、閉鎖型フープに対して補強鉄筋を周方向に移動できるように工夫したもの（特許文献２参照）などが提案されている。
【先行技術文献】
【特許文献】
【０００４】
【特許文献１】特開２００６−１４４３５５号公報
【特許文献２】特開２００８−４５２７９号公報
【発明の概要】
【発明が解決しようとする課題】
【０００５】
しかし、従来のコンクリート杭の補強筋取付において、地中梁主筋と干渉しないように、通常、納まり図を作成して、その図に沿って杭頭補強筋を取り付けるが、杭芯のずれにより、予定通りに地中梁主筋が通らないことがある。更に、杭芯ずれを考慮して作図して現場で墨出ししても、微妙なずれにより杭頭補強筋と地中梁主筋とが干渉してしまい、杭頭補強筋を若干曲げて通すなど、対策が必要で手間の掛かる作業となっていることが課題となっている。本発明に係るコンクリート杭の補強筋取付用定規と杭頭補強筋の取付方法は、このような課題を解決するために提案されたものである。
【課題を解決するための手段】
【０００６】
本発明に係るコンクリート杭の補強筋取付用定規の上記課題を解決して目的を達成するための要旨は、地中梁主筋のピッチ及び直径に合わせて所要数で平行に併設される定規用棒体と、該定規用棒体の両端部側において当該定規用棒体に対して直交させ下側に当接させて対向配置にされるレールと、該レールと前記定規用棒体とを連結し位置固定するとともに、前記レールの上部に設けられたスリットから固定部材を突出させる固定手段とからなることである。
【０００７】
前記固定手段は、ボルトとナットの組み合わせでなり、締結状態を弛緩させることでスリットの長手方向に沿って移動自在であることを含む。更に、レールの上部の面に、レール長手方向に沿って目盛りが付与されていることを含むものである。
【０００８】
本発明に係る杭頭補強筋の取付方法の要旨は、上記本発明に係る補強筋取付用定規を形成し、既製コンクリート杭を地盤に設置した後に、前記既製コンクリート杭におけるリングプレートの上に前記補強筋取付用定規における定規用棒体を地中梁主筋の位置に合わせた位置にして当該補強筋取付用定規を設置し、前記定規用棒体の間においてリングプレートに杭頭補強筋の下部を固着して杭頭補強筋を立設することである。
【発明の効果】
【０００９】
本発明のコンクリート杭の補強筋取付用定規と杭頭補強筋の取付方法によれば、補強筋取付用定規によって、杭頭補強筋が地中梁主筋に干渉しない位置に位置固定されるので、後の地中梁主筋の配筋作業に支障がなく、配筋作業の能率が向上するものである。また、前記杭頭補強筋の配筋が精度良く行われるようになる、という優れた効果を奏するものである。
【図面の簡単な説明】
【００１０】
【図１】本発明に係るコンクリート杭の補強筋取付用定規１の使用状態の平面図である。
【図２】同本発明のコンクリート杭の補強筋取付用定規１の一部を拡大して示す側面図である。
【図３】同補強筋取付用定規１を使用して杭頭補強筋７を立設した状態の斜視図である。
【図４】同補強筋取付用定規１におけるレール２のスリットを示す斜視図である。
【図５】従来例に係る杭頭補強筋の取付方法を示す説明用斜視図である。
【発明を実施するための形態】
【００１１】
本発明に係るコンクリート杭の補強筋取付用定規１は、図１に示すように、杭頭補強筋７の取り付け位置を、地中梁主筋と干渉しないように規定するものである。
【実施例１】
【００１２】
本発明に係る補強筋取付用定規１は、図１に示すように、地中梁主筋（図示せず）のピッチ及び直径に合わせて所要数で平行に併設される定規用棒体３と、該定規用棒体３の両端部側において当該定規用棒体３に対して直交させ下側に当接させて対向配置にされるレール２と、該レール２と前記定規用棒体３とを連結し位置固定するとともに、前記レール２の上部に設けられたスリット２ａから固定部材を突出させる固定手段４とからなる。
【００１３】
前記定規用棒体３は、例えば、塩化ビニール製のパイプである。その太さは、地中梁主筋の太さに合わせられる。また、その数も、地中梁主筋の数に合わせられる。合成樹脂性にするのは、定規の軽量化のためである。隣接する定規用棒体３，３の間隔は、地中梁主筋の間隔に合わせられる。
【００１４】
前記レール２は、例えば、アルミニウム製の筒体であり、図２と図４とに示すように、上側に所要幅のスリット２ａが長手方向に全長に亘って設けられている。レール２の軽量化のために、アルミニウム製とするものであり、他の軽量部材でも良い。また、前記スリット２ａに関しては、長孔のような調整用の孔でも一定範囲内でピッチ調整可能であるが、任意のピッチ調整を考慮するれば、レール２の全長に亘ってスリット２ａを設けるのが好ましい。
【００１５】
また、図４に示すように、レール２の上部の面に、レール長手方向に沿って目盛り２ｂを付与することが好ましい。定規用棒体３のピッチなどを目視して確認できるからである。
【００１６】
前記固定手段は、例えば、ボルト４とナット５との組み合わせである。ボルト４の頭部を前記レール２の筒体内部に収容し、そのねじ部４ａを前記スリット２ａから上に突出させ、前記定規用棒体３の取付孔に貫通させ、ナット５で締結するものである。
【００１７】
図４に示すように、前記ボルト４とナット５との締結状態を弛緩させることで、スリット２ａの長手方向に沿って移動自在に移動することができる。これで、前記定規用棒体３，３のピッチを自由に変更することができるのである。
【００１８】
上記のような本発明に係る補強筋取付用定規１を使用した杭頭補強筋の取付方法について説明する。前記本発明に係る補強筋取付用定規１を形成し、リングプレート６を一体に有する既製コンクリート杭を地盤に設置する。
【００１９】
図３に示すように、前記リングプレート６の上に前記補強筋取付用定規１における定規用棒体３を地中梁主筋の位置に合わせた位置にして当該補強筋取付用定規１を設置する。当該補強筋取付用定規１における定規用棒体３のピッチは、図４に示すように、ボルト４・ナット５の弛緩により長手方向に移動させて行う。
【００２０】
そして、前記定規用棒体３，３…の間においてリングプレート６に杭頭補強筋７の下部を溶接することで固着して、杭頭補強筋７を立設する。
【００２１】
その後、前記補強筋取付用定規１によって杭頭補強筋７と干渉しない位置に配置される地中梁主筋などを配筋して型枠を組み、コンクリートを打設して地中梁を構築するものである。
【産業上の利用可能性】
【００２２】
本発明に係るコンクリート杭の補強筋取付用定規とその杭頭補強筋の取付方法は、既製コンクリート杭の他、杭用鉄筋籠を穴に挿入する際に定規として使用することで場所打ち杭にも適用できるものである。
【符号の説明】
【００２３】
１          補強筋取付用定規、
２          レール、                        ２ａ        スリット、
２ｂ        目盛り、
３          定規用棒体、
４          ボルト、                        ４ａ        ねじ部、
５          ナット、
６          リングプレート、
７          杭頭補強筋、    
８          既製コンクリート杭。
【図１】
2013163893.tif 000003
【図２】
2013163893.tif 000004
【図３】
2013163893.tif 000005
【図４】
2013163893.tif 000006
【図５】
2013163893.tif 000007